(57)【要約】【課題】筐体の壁部に薄肉部と厚肉部を設け、外側面が面一な面で内側面を薄肉部が凹んだ凹凸面とし、薄肉部を光源の透過部として機能させて表示させる発光表示構造において、壁部が薄く、薄肉部と厚肉部の肉厚差を十分確保できない構造であっても、コントラストが低下せず、モード表示などの細かな表示も鮮明に視認できる発光表示構造を備えたオーラルケア装置を提供する。【解決手段】薄肉部と厚肉部とを同一樹脂材料で一体成形し、前記厚肉部の肉厚を１．０〜４．０ｍｍとするとともに、前記薄肉部と厚肉部との肉厚差を０．８５〜３．２ｍｍとし、前記同一樹脂材料に遮光剤を含有させた。【選択図】図１
2016189929.tif 000002
【特許請求の範囲】
【請求項１】
筐体の壁部に、薄肉部とその周辺の残部の厚肉部とからなる領域が設けられ、
前記領域の外側面が凹凸がなく面一であり、且つ内側面が前記薄肉部が凹んだ凹凸面であり、
前記筐体の内部の前記領域に対応する位置に光源が設けられ、
該光源からの光が主に前記薄肉部を通じて外部に透過することで、前記領域が表示領域となる発光表示構造を備えたオーラルケア装置であって、
前記薄肉部と厚肉部とを同一樹脂材料で一体成形し、
前記厚肉部の肉厚を１．０〜４．０ｍｍとするとともに、
前記薄肉部と厚肉部との肉厚差を０．８５〜３．２ｍｍとし、
前記同一樹脂材料に、遮光剤を含有させてなることを特徴とする発光表示構造を備えたオーラルケア装置。
【請求項２】
前記遮光剤として、酸化チタンを０．５重量％以下含有させてなる請求項１記載の発光表示構造を備えたオーラルケア装置。
【請求項３】
前記酸化チタンの粒径を、０．１６〜０．２６μｍとした請求項２記載の発光表示構造を備えたオーラルケア装置。
【請求項４】
前記遮光剤として、カーボンブラックを０．１重量％以下含有させてなる請求項１記載の発光表示構造を備えたオーラルケア装置。
【請求項５】
前記薄肉部の肉厚を、０．１５〜０．８ｍｍとしてなる請求項１〜４の何れか１項に記載の発光表示構造を備えたオーラルケア装置。
【請求項６】
前記光源を、厚肉部内面の位置である薄肉部内側に形成される凹部の開口位置から、筐体中心方向である内方へ０．８５〜３．０ｍｍ離間した位置に設けてなる請求項１〜５の何れか１項に記載の発光表示構造を備えたオーラルケア装置。
【請求項７】
前記樹脂材料が、ＡＢＳ樹脂又はポリプロピレン樹脂を主成分とする材料である請求項１〜６の何れか１項に記載の発光表示構造を備えたオーラルケア装置。
【発明の詳細な説明】
【技術分野】
【０００１】
本発明は、筐体内部の光源の光で筐体の壁部を発光させて表示する発光表示構造を備えたオーラルケア装置に係り、特に、充電状態や動作モードを表示する電動歯ブラシ等に好適な発光表示構造を備えるオーラルケア装置に関する。
【背景技術】
【０００２】
従来、この種の発光表示構造は、筐体の壁部に、内部の光源からの光を通す透過部と光を通さない非透過部よりなる領域を設け、これら透過部及び非透過部を異なる樹脂、光透過性の樹脂材料と非透過性の樹脂材料で二色成形したもの、あるいはこれら樹脂材料で別々に成形後、組み付けてなるものが提供されている。しかし、このように異なる樹脂材料で構成したものは耐久性や防水性の問題があるとともに製造コストが高くなり、塗装する場合のマスキングが手間であるという問題もあった。
【０００３】
これに対し、図５（ａ）に示すように筐体の壁部１０に薄肉部３とその周辺の残部の厚肉部４とからなる領域Ｒを設け、領域の外側面１１を凹凸がなく面一な面とし、且つ内側面１２を薄肉部が凹んだ凹凸面とし、これにより内部の光源２からの光を主に薄肉部３を通じて外部に透過させ、薄肉部３を上記透過部として機能させ、厚肉部４を非透過部として機能させる構造も考えられる。これによれば、同一樹脂材料で一体成形できるため防水性やコスト、塗装の問題を解決でき、機能オフの場合に外観上、表示領域の存在を認識させず、デザイン設計上の自由度が向上する。
【０００４】
しかしながら、オーラルケア装置は近年、持ち運び等の理由でコンパクト化の傾向にあり、筐体もスリムなものが求められている。このようなスリムな筐体とするためには、内部機器の大きさに一定の限界があることから、結果として壁部が薄型化される傾向にある。このような薄型の壁部に上記発光表示構造を採用した場合、図５（ｂ）に示すように厚肉部４が薄くなる一方で、薄肉部３の薄さは強度の関係で一定の限界があることから、結果として厚肉部４と薄肉部３との肉厚差が小さくなる。肉厚差が小さいと内側面側の薄肉部３で凹んだ凹部１３が浅くなって、特に薄肉部３の角３ａで光が外側に拡散されやすくなる。これに厚肉部４の光の非透過性が薄肉化により低下することと相俟って、表示のコントラストが低下し、不鮮明な表示となり、特にモード表示などの細かな表示が視認できなくなるといった問題があった。
【０００５】
他の構造として、例えば、光透過性の有する半透明の筐体壁部の表面に、光を透過させない第１の塗料層を被覆形成し、第１の塗料層にエッチング加工で光が透過する表示溝を形成し、さらに光透過性を有する白色の第２の塗料層、その上に透明なコート層を被覆した構造も提供されている（特許文献１の図３参照）。しかし、本構造は壁部の外側に被覆層を３つ形成する必要があり、第１の塗料層をレーザー等でエッチング加工する必要もあり、製造コストが上昇する原因になる。また、塗装が必須であるため意匠的にも制約されるといった問題もある。さらに、塗装は外力が加わることで破損しやすく、第１の塗料層まで剥がれてしまうと表示が破損し、認識不能となってしまうという問題がある。
【先行技術文献】
【特許文献】
【０００６】
【特許文献１】特表２０１４−５０１１５０号公報
【発明の概要】
【発明が解決しようとする課題】
【０００７】
そこで、本発明が前述の状況に鑑み、解決しようとするところは、筐体の壁部に薄肉部と厚肉部を設け、外側面が面一な面で内側面を薄肉部が凹んだ凹凸面とし、薄肉部を光源の透過部として機能させて表示させる発光表示構造において、壁部が薄く、薄肉部と厚肉部の肉厚差を十分確保できない構造であっても、コントラストが低下せず、モード表示などの細かな表示も鮮明に視認できる発光表示構造を備えたオーラルケア装置を提供する点にある。
【課題を解決するための手段】
【０００８】
本発明者は、前述の課題解決のために、上記のように壁部が薄く、薄肉部と厚肉部の肉厚差が十分確保できない構造においてコントラストを低減させないための手段につき鋭意検討した結果、薄肉部と厚肉部を一体成形する樹脂材料に遮光剤を含有させることで、コントラスト低減の原因であった内側面側の薄肉部による凹部の深さが浅いという点が逆にプラスに作用し、上記課題を解決できることを見出し、本発明を完成するに至った。
【０００９】
すなわち本発明は、筐体の壁部に、薄肉部とその周辺の残部の厚肉部とからなる領域が設けられ、前記領域の外側面が凹凸がなく面一であり、且つ内側面が前記薄肉部が凹んだ凹凸面であり、前記筐体の内部の前記領域に対応する位置に光源が設けられ、該光源からの光が主に前記薄肉部を通じて外部に透過することで、前記領域が表示領域となる発光表示構造を備えたオーラルケア装置であって、前記薄肉部と厚肉部とを同一樹脂材料で一体成形し、前記厚肉部の肉厚を１．０〜４．０ｍｍとするとともに、前記薄肉部と厚肉部との肉厚差を０．８５〜３．２ｍｍとし、前記同一樹脂材料に、遮光剤を含有させてなることを特徴とする発光表示構造を備えたオーラルケア装置を提供する。
【００１０】
ここに、薄肉部の肉厚は薄肉部の最小肉厚寸法をいい、厚肉部の肉厚は薄肉部に隣接する箇所の肉厚寸法をいう。
【００１１】
ここで、前記遮光剤として、酸化チタンを０．５重量％以下含有させてなるものが好ましい。
【００１２】
特に、前記酸化チタンの粒径を、０．１６〜０．２６μｍとしたものが好ましい。ここに、酸化チタンの粒径は粒子の体積を測定して粒径（球相当径）の平均値を求めたものとし、測定方法はレーザ回折／散乱式粒度分布測定装置を用いるものとする。
【００１３】
また、前記遮光剤として、カーボンブラックを０．１重量％以下含有させてなるものも好ましい。
【００１４】
また、前記薄肉部の肉厚を、０．１５〜０．８ｍｍとしてなるものが好ましい。
【００１５】
また、前記光源を、厚肉部内面の位置である薄肉部内側に形成される凹部の開口位置から、筐体中心方向である内方へ０．８５〜３．０ｍｍ離間した位置に設けてなるものが好ましい。
【００１６】
また、前記樹脂材料が、ＡＢＳ樹脂又はポリプロピレン樹脂を主成分とする材料であるものが好ましい。
【発明の効果】
【００１７】
以上にしてなる本願発明に係るオーラルケア装置は、筐体の壁部に、薄肉部とその周辺の残部の厚肉部とからなる領域が設けられ、前記領域の外側面が凹凸がなく面一であり、且つ内側面が前記薄肉部が凹んだ凹凸面であり、前記筐体の内部の前記領域に対応する位置に光源が設けられ、該光源からの光が主に前記薄肉部を通じて外部に透過することで、前記領域が表示領域となる発光表示構造を備えるので、優れた防水性を維持でき、コスト高を回避でき、塗装も容易で、デザイン設計上の自由度も高い。
【００１８】
また、薄肉部と厚肉部とを同一樹脂材料で一体成形し、厚肉部の肉厚を１．０〜４．０ｍｍと薄く設定するとともに、薄肉部と厚肉部との肉厚差を０．８５〜３．２ｍｍと小さくし、前記同一樹脂材料に遮光剤を含有させてなるので、図１に示すように、まず従来よりも薄型の厚肉部４は、遮光剤の存在により従来と同様に非透過性が維持され、また、従来より浅くなる薄肉部３内側の凹部１３についても、その薄肉部３の角３ａ（凹部の底面の隅部）から外側に拡散される光は遮光され、他方、薄肉部３を透過する光は、凹部１３が浅い分だけ薄肉部３が光源２に近づくため遮光剤が存在しても十分な量を透過させることができ、結果、コントラストが良好で鮮明となる表示が得られ、モード表示などの細かな表示も視認できる発光表示構造を備えたスリムな筐体を有するオーラルケア装置を提供することができる。
【００１９】
薄肉部と厚肉部との肉厚差が０．８５ｍｍより小さいと、薄肉部が厚くなって透過光量が低下し、視認性が低下するか、或いは厚肉部が薄くなって遮光性が低下し、コントラストが低下する。肉厚差が３．２ｍｍより大きいと、薄肉部が薄くなって、強度が不十分となる。
【００２０】
また、前記遮光剤として、酸化チタンを０．５重量％以下含有させてなるので、表示がより明瞭で細かな表示を視認しやすくなる。より好ましくは０．１〜０．４重量％である。０．５重量％よりも多く含有させると、薄肉部の透過光量が不十分となり、視認性が低下する。
【００２１】
また、前記酸化チタンの粒径を０．１６〜０．２６μｍとしたので、同じく表示が明瞭で細かな表示も視認しやすくなる。粒径が０．１６μｍより小さくても０．２６μｍより大きくても、遮光性が低下し、コントラストが低下する傾向になる。
【００２２】
また、前記遮光剤として、カーボンブラックを０．１重量％以下含有させてなるので、表示がより明瞭で細かな表示を視認しやすくなる。０．１重量％よりも多く含有させると、薄肉部の透過光量が不十分となり、視認性が低下する。
【００２３】
また、前記薄肉部の肉厚を０．１５〜０．８ｍｍとしたので、表示がより明瞭で細かな表示を視認しやすくなる。薄肉部が０．１５ｍｍより薄いと、強度が不十分となる。薄肉部が０．８ｍｍより厚いと、薄肉部の透過光量が不十分となり、視認性が低下する。
【００２４】
また、前記光源を、厚肉部内面の位置である薄肉部内側に形成される凹部の開口位置から、筐体中心方向である内方へ０．８５〜３．０ｍｍ離間した位置に設けてなるので、良好なコントラストを維持できる。０．８５ｍｍより近づけると薄肉部の隅部から外側へ拡散する光量が増え、コントラストが低下する。３．０ｍｍより遠いと薄肉部の透過光量が低下し、視認性が低下する。
【００２５】
また、前記樹脂材料が、ＡＢＳ樹脂又はポリプロピレン樹脂を主成分とする材料であるので、オーラルケア装置として使用するに当たり耐薬品性が高まり、耐久性が高まり、薄肉部の強度も維持しやすい。
【図面の簡単な説明】
【００２６】
【図１】本発明に係る発光表示構造を示す説明図。
【図２】同じく発光表示構造を備えた代表的実施形態に係るオーラルケア装置を示す外観斜視図。
【図３】（ａ）は同じくオーラルケア装置の要部を示す斜視図、（ｂ）は同じく要部を示す縦断面図。
【図４】（ａ）は同じくオーラルケア装置の発光表示構造を示す縦断面図、（ｂ）は横端面図。
【図５】（ａ），（ｂ）は従来の発光表示構造を示す説明図。
【発明を実施するための形態】
【００２７】
次に、本発明の実施形態を添付図面に基づき詳細に説明する。
【００２８】
本発明に係る発光表示構造Ｓは、図１に示すようにオーラルケア装置の筐体壁部１０に薄肉部３とその周辺の残部の厚肉部４とからなる表示領域Ｒを設け、この表示領域Ｒの外側面１１を凹凸がなく薄肉部３と厚肉部４とが面一な面とし、表示領域Ｒの内側面１２を薄肉部３が凹んだ凹部１３を有する凹凸面とし、筐体内部の前記表示領域Ｒに対応する位置に光源２を設け、光源２からの光が主に表示領域Ｒの薄肉部３を通じて外部に透過し、これにより薄肉部３の形が外側から光って表示されるものである。
【００２９】
発光表示構造Ｓを備えるオーラルケア装置としては、後述する電動歯ブラシ以外に、例えばウォーターピックや歯ブラシ等に取り付けるセンサアダプタ装置など、種々のオーラルケア装置に適用できる。発光表示構造Ｓの薄肉部３と厚肉部４とは同一樹脂材料で一体成形され、該樹脂材料には遮光剤が含有される。
【００３０】
前記樹脂材料としては、オーラルケア装置としての耐薬品性、強度の点からＡＢＳ樹脂又はポリプロピレン樹脂を主成分とすることが好ましい。樹脂の色は透明、半透明、非透明のいずれでも良い。遮光剤は樹脂材料に可視光を透過させない隠蔽性を付与する添加剤として公知のものを広く適用でき、特に酸化チタンやカーボンブラックを用いることが好ましい。
【００３１】
遮光剤として酸化チタンを用いる場合は、その配合量は０．５重量％以下の含有率とすることが好ましく、より好ましくは０．１〜０．４重量％とされる。樹脂材料中に均一に含有させるため、同一樹脂材料をベースとしたマスターバッチとして同一樹脂材料のペレットに混入して成形することが好ましい。また、酸化チタンの粒径は０．１６〜０．２６μｍのものを用いることが好ましい。また、遮光剤としてカーボンブラックを用いる場合は、その配合量は０．１重量％以下の含有率とすることが好ましい。
【００３２】
厚肉部４の肉厚（ｔ１）は１．０〜４．０ｍｍと薄型に設定され、薄肉部３の肉厚（ｔ２）と厚肉部４の肉厚（ｔ１）との肉厚差（ｔ１−ｔ２）は０．８５〜３．２ｍｍとこのような肉厚差で表示する構造としては小さな肉厚差に設定される。
【００３３】
薄肉部２の肉厚（ｔ２）は、０．１５〜０．８ｍｍ、望ましくは０．１５〜０．３ｍｍに設定される。また、薄肉部３と厚肉部４との肉厚差（ｔ１−ｔ２）は、より好ましくは０．８５〜３．１５ｍｍに設定される。
【００３４】
厚肉部内面の位置である薄肉部内側に形成される凹部の開口位置から、筐体中心方向である内方へ０．８５〜３．０ｍｍ（開口位置から光源の発光面までの距離（ｄ））だけ離間した位置に設けられる。本発明は遮光剤を含有しているので、光源を上記開口位置に近づけること、或いは薄肉部の凹部の内部に入れることも可能である。ただし、薄肉部の角からの拡散を考慮すると、凹部の内部の外側に設けることが好ましく、具体的には上記距離ｄだけ離間させることが好ましい。表示領域Ｒの外側面１１や内側面１２には更に塗装を施してもよいが、その膜厚は５〜４５μｍが好ましく、薄肉部３の透過性を考慮すると１５〜３５μｍが望ましい。
【００３５】
次に、図２〜図４に基づき、本発明に係る発光表示構造Ｓを、オーラルケア装置として電動歯ブラシ５に備えさせた実施の形態について、より詳しく説明する。
【００３６】
本例の電動歯ブラシ５は、図２に示すように、ブラシ部５０とブラシ部５０を手動操作するための歯ブラシ本体５１とを備え、歯ブラシ本体５１の筐体５２におけるブラシ部５０から遠い側である歯ブラシ基端側の壁部１０に発光表示構造Ｓを備えている。歯ブラシ本体５１はハンドル部５５とそれに着脱自在に取付けられる替えブラシ５６とを備えている。符号６７はハンドル部５５の先端側に設けられた替えブラシ５６のための連結部である。替えブラシ５６の柄の先端側には植毛台５７が設けられ、植毛台５７には複数の毛束５８が植設され、これら複数の毛束５８によりブラシ部５０が形成されている。
【００３７】
筐体５２の内部には、ブラシ部５０を振動させるための図示しない振動発生機構、該振動発生機構の動作を制御するための回路基板５３、及び振動発生機構と回路基板５３を駆動するための電池５４が内蔵され、回路基板５３に発光表示構造Ｓを構成する光源２としてのＬＥＤ６２などが付設されている。符号６３は二次電池５４のマイナス極に接続される電池接点である。本例では、さらに手動によるブラッシング操作を検出する図示しない加速度センサも内蔵されている。
【００３８】
振動発生機構は、モータの回転軸に錘を固定して構成したものであり、錘を偏心回転させることで筐体５２の主に先端側及び替えブラシ５６を振動させるものであるが、その他の機構、例えば軸方向に往復直線運動する出力軸を有するリニアアクチュエータの出力軸に錘を固定したものや、錘振動タイプ以外にも、直線運動タイプ、反転運動タイプ、リニア振動タイプなど種々の機構を設けることができる。
【００３９】
発光表示構造Ｓを構成するＬＥＤ６２は、電動歯ブラシ５や充電器の作動状態を表示するための光源２である。ＬＥＤの数や種類は発光表示構造Ｓの表示形態に応じて適宜設定すればよい。例えば、緑色と赤色に発光する２種類のＬＥＤを設け、二次電池５４が十分な充電量を有するときには緑色を点灯させ、充電残量が少なくなったときには緑色を点滅させ、二次電池５４が最終放電電圧以下になったときには緑色を消灯させ、充電器にセットして二次電池５４を充電しているときには赤色を点灯させるようにしてもよい。本例では一つの円形マークを表示しているが、複数の文字や記号、マーク等の場合、それらに応じて必要な数、種類のＬＥＤ６２を設ければよい。
【００４０】
加速度センサは、歯ブラシ本体５１を手動でブラッシング操作する際の当該ブラッシング操作時の加速度を検出し、制御手段により振動発生機構を作動状態に切り換え、振動発生機構によりブラシ部５０に振動を付与し、手動によるブラッシングを電動による振動で助勢しながらブラッシングできるようにするためのセンサである。手動による歯ブラシ本体５１のブラッシング操作を中断すると、加速度センサからの出力に基づいて、制御手段により振動発生機構の動作が停止状態に切り換えられる。発光表示構造Ｓによりこのような振動発生機構の作動状態（モード）を表示できるように構成することも好ましい。
【００４１】
筐体５２は、ブラシ部５０に近い側である歯ブラシ先端側の金属製の上部筐体５２Ａと、ブラシ部から遠い側の合成樹脂製の下部筐体５２Ｂとを、互いに端部同士でシールリング５９を介して着脱可能に水密状に嵌合して構成されている。本例では、従来の電動歯ブラシに比べて細いスリムな構成とされ、上部筐体５２Ａ及び下部筐体５２Ｂの外径寸法は、１２〜１６ｍｍ程度に設定され、金属製の上部筐体５２Ａ側壁の肉厚は０．１５〜０．５ｍｍ程度、合成樹脂製の下部筐体５２Ｂの側壁の肉厚は１．０〜３．０ｍｍ程度に設定されている。
【００４２】
上記振動発生機構や電池５４は主に上部筐体５２Ａの内側に配置され、回路基板５３は、上部筐体５２Ａから下部筐体５２Ｂにわたって内蔵されている。発光表示構造Ｓを構成する光源２としてのＬＥＤ６２は、回路基板５３のうち下部筐体５２Ｂの側壁（壁部１０）に設けられる後述の表示領域Ｒに対応する位置に設けられている。上部筐体５２Ａの先端側には替えブラシ５６を着脱可能に取り付ける連結部６４が設けられている。
【００４３】
下部筐体５２Ｂの側壁（壁部１０）の前記ＬＥＤ６２からなる光源２に対応する部位には、図４にも示すように、薄肉部３とその周辺の残部の厚肉部４とからなる表示領域Ｒが設けられている。この表示領域Ｒの外側面１１は凹凸がなく薄肉部３と厚肉部４とが面一であり、表示領域Ｒの内側面１２は薄肉部３が凹んだ凹部１３を有する凹凸面とされている。
【００４４】
薄肉部２の肉厚は、上述のとおり０．１５〜０．８ｍｍ、望ましくは０．１５〜０．３ｍｍに設定され、薄肉部３と厚肉部４との肉厚差は０．８５〜３．２ｍｍ、より好ましくは０．８５〜３．１５ｍｍに設定されている。そして、光源２であるＬＥＤ６２が発光すると、その光は主に表示領域Ｒの薄肉部３を通じて外部に透過し、これにより薄肉部３の形が外側から光って表示されることになる。
【００４５】
下部筐体５２Ｂの内部には、図３（ｂ）に示すように誘導コイル６０が内装され、電動歯ブラシ５を図示外の充電器にセットすることで、誘導コイル６０に誘導電流を発生させ、電池５４を充填できるように構成されている。符号６１はガス抜き穴であり、二次電池の劣化に伴いガスが発生した場合でも、発生したガスをガス抜き穴６１を介して外部へ排出し、歯ブラシ本体５１が膨張し、変形したり、破裂したりすることを防止できるように構成されている。
【００４６】
回路基板５３のＬＥＤ６２の反対側の面には主電源スイッチ６８が設けられており、下部筐体５２Ｂの底面部に形成された取付孔６４の内側にシールリング６５及び前記主電源スイッチ６８を操作する押しボタン６６が設けられている。押しボタン６６により主電源スイッチ６８を操作することで、加速度センサ等への通電を遮断する誤動作防止機能がオン／オフされる。
【００４７】
以上、本発明の実施形態について説明したが、本発明はこうした実施例に何ら限定されるものではなく、本発明の要旨を逸脱しない範囲において種々なる形態で実施し得ることは勿論である。
【実施例】
【００４８】
以下、本発明に係る発光表示構造の実施例を用いて、表示の検証を行った結果について説明する。
【００４９】
実施例１〜３２のサンプルを作成し、表示の光り方（見え方）を検証した。各実施例のサンプルは、図２〜図４で説明した電動歯ブラシの下部筐体の発光表示構造であり、成形樹脂の配合する染顔料、添加剤、光源のみ異なるものとし、構造や寸法はすべて共通とした。下部筐体の外径をφ１４ｍｍ、表示領域の厚肉部の肉厚を１．９ｍｍ、薄肉部の肉厚を０．３ｍｍ、厚肉部と薄肉部の肉厚差は１．６ｍｍ、薄肉部の形状をφ１．５ｍｍの円柱状とし、表示領域内面からＬＥＤまでの離間距離を１．８ｍｍとした。ＬＥＤは日本ライトン社製のＬＴＳＴ−Ｃ１９５ＫＧＪＲＫＴ（７５ｍＷ）（赤、緑兼用）を用い、実施例１〜１４では赤色に点灯させ、実施例１５〜３２では緑色に点灯させた。
【００５０】
実施例１〜３２は、いずれもＡＢＳ樹脂のペレットに、ＡＢＳ樹脂をベースとして遮光剤その他染顔料や添加剤を配合したマスターバッチ（Ａ１〜Ａ９）を混合して成形したものである。各実施例のペレットへのマスターバッチ混合量、トータル成形樹脂中の遮光剤（酸化チタン、カーボンブラック）の含有量、各マスターバッチ（Ａ１〜Ａ９）の染顔料及び添加剤の内容、配合量を表１〜表１０に示す。
【００５１】
【表１】
2016189929.tif 000003
【００５２】
【表２】
2016189929.tif 000004
【００５３】
【表３】
2016189929.tif 000005
【００５４】
【表４】
2016189929.tif 000006
【００５５】
【表５】
2016189929.tif 000007
【００５６】
【表６】
2016189929.tif 000008
【００５７】
【表７】
2016189929.tif 000009
【００５８】
【表８】
2016189929.tif 000010
【００５９】
【表９】
2016189929.tif 000011
【００６０】
【表１０】
2016189929.tif 000012
【００６１】
評価（見え方）は、薄肉部の光が十分であり、薄肉部（透過部）と厚肉部（非透過部）の境界線もはっきり判別できたものを「５」、薄肉部の光は十分であるが厚肉部との境界が若干判別しにくくなったものを「４」、薄肉部の光が若干弱いが厚肉部との境界線を判別できるものを「３」、薄肉部の光は弱くはないが厚肉部との境界が若干判別しにくくなったものを「２」、薄肉部の光が弱く厚肉部との境界も若干判別しにくくなったものを「１」とした。結果は、表１１に示す。
【００６２】
【表１１】
2016189929.tif 000013
【００６３】
以上の結果から、遮光剤としての酸化チタンの含有量は０．５重量％以下とすることで評価「３」以上が得られ、０．５重量％を超えると評価が悪くなることがわかる。特に、０．１〜０．４重量％とすれば、評価「４」以上が確保されることもわかる。また、実施例２５、３１、３２から酸化チタンの粒径は０．１６〜０．２６μｍが好ましいことがわかる。また、実施例２７、２８、３０から遮光剤としてのカーボンブラックの含有量は０．１重量％以下とすることがよいことがわかる。
【符号の説明】
【００６４】
Ｒ  領域
Ｓ  発光表示構造
２  光源
３  薄肉部
３ａ  隅部
４  厚肉部
５  電動歯ブラシ
１０  壁部
１１  外側面
１２  内側面
１３  凹部
５０  ブラシ部
５１  歯ブラシ本体
５２  筐体
５２Ａ  上部筐体
５２Ｂ  下部筐体
５３  回路基板
５４  電池
５５  ハンドル部
５６  ブラシ
５７  植毛台
５８  毛束
５９  シールリング
６０  誘導コイル
６１  ガス抜き穴
６２  ＬＥＤ
６３  電池接点
６４  取付孔
６５  シールリング
６６  ボタン
６７  連結部
６８  主電源スイッチ
【図１】
2016189929.tif 000014
【図２】
2016189929.tif 000015
【図３】
2016189929.tif 000016
【図４】
2016189929.tif 000017
【図５】
2016189929.tif 000018